(57)【特許請求の範囲】
【請求項１】
送風部と発熱部とを有するヘアードライヤ本体と、ヘアードライヤ本体の吐出部に取付けられるアタッチメントから構成されるヘアードライヤであって、上記アタッチメントにコームを設け、アタッチメントに、コームと基台と吹き出し部とからなる補助コームブロックを着脱自在に取付け、補助コームブロックに設けたコームの突出長さをアタッチメントに設けたコームの突出長さよりも長くして成ることを特徴とするヘアードライヤ。
【請求項２】
アタッチメントがコームを有する主コームブロックにより構成され、補助コームブロックのコームを筒状に形成すると共に、この補助コームブロックのコームを主コームブロックのコームを包囲するように配列して成ることを特徴とする請求項１記載のヘアードライヤ。
【請求項３】
アタッチメントがコームを有する主コームブロックにより構成され、主コームブロック及び補助コームブロックに吹き出し孔を設けて成ることを特徴とする請求項１記載のヘアードライヤ。
【請求項４】
アタッチメントがコームを有する主コームブロックにより構成され、補助コームブロックの基台に吹き出し孔を設け、この吹き出し孔に主コームブロックのコームが挿通するように着脱自在としたことを特徴とする請求項１記載のヘアードライヤ。
【請求項５】
アタッチメントがコームを有する主コームブロックにより構成され、補助コームブロックの基台の面積を主コームブロックの開口端の面積より大きくして成ることを特徴とする請求項１記載のヘアードライヤ。
【請求項６】
アタッチメントがコームを有する主コームブロックにより構成され、主コームブロックの一領域に補助コームブロックが着脱自在となっていることを特徴とする請求項１記載のヘアードライヤ。
【請求項７】
アタッチメントがコームを有する主コームブロックにより構成され、補助コームブロックは複数個あり、主コームブロックに複数の補助コームブロックがそれぞれ着脱自在となっていることを特徴とする請求項１記載のヘアードライヤ。
【請求項８】
少なくとも１個の補助コームブロックのコーム形状を他の補助コームブロックのコーム形状と異なるように形成して成ることを特徴とする請求項７記載のヘアードライヤ。
【発明の詳細な説明】
【０００１】
【発明の属する技術分野】
本発明は、毛髪を乾燥するヘアードライヤに関するものである。
【０００２】
【従来の技術】
従来から送風部と発熱部とを有するヘアードライヤ本体と、ヘアードライヤ本体の吐出部にアタッチメントを着脱自在に取付けるヘアードライヤが知られている。
しかしながら、ヘアードライヤ本体の吐出部にアタッチメントを着脱自在に取付ける従来のヘアードライヤにおいては、ヘアードライヤ本体に取付けられるアタッチメントは一つであり、そのため、通常ヘアースタイルを作るために複数のアタッチメントを使用する場合、これをそれぞれヘアードライヤ本体に付け替える必要があり、使用上不便であり、また、アタッチメントの収納にも不便であった。
【０００３】
【発明が解決しようとする課題】
本発明は上記の従来例の問題点に鑑みて発明したものであって、アタッチメントに補助コームブロックを着脱自在に取付けることで、複数の用途に対して一つのアタッチメントで容易に対応することができ、収納においても容易なヘアードライヤを提供することを課題とするものである。
【０００４】
【課題を解決するための手段】
上記課題を解決するために、本発明のヘアードライヤは、送風部１と発熱部２とを有するヘアードライヤ本体３と、ヘアードライヤ本体３の吐出部８に取付けられるアタッチメント４から構成されるヘアードライヤ５であって、上記アタッチメント４にコーム６ａを設け、アタッチメント４に、コーム７ａと基台７ｂと吹き出し部７ｃとからなる補助コームブロック７を着脱自在に取付け、補助コームブロック７に設けたコーム７ａの突出長さをアタッチメント４に設けたコーム６ａの突出長さよりも長くして成ることを特徴とするものであって、このような構成とすることで、一つのアタッチメント４をベースとして、アタッチメント４に補助コームブロック７を取付けた状態で使用する場合と、補助コームブロック７を取付けないで使用する場合との２つの異なる用途に対応することができるものであり、特に、アタッチメント４に補助コームブロック７を取付けた状態ではコーム長さの長いヘアードライヤとして使用することができるものであり、また、補助コームブロック７を取り外した状態では、コーム長さの短いヘアードライヤとして使用することができ、それぞれ機能の異なるヘアードライヤとして異なるヘアーセットに対応できるものである。そして、収納に当たっても、補助コームブロック７をアタッチメント４に取付けることで、一つにまとめた状態で収納できることになる。
【０００５】
また、アタッチメント４がコーム６ａを有する主コームブロック６により構成され、補助コームブロック７のコーム７ａを筒状に形成すると共に、この補助コームブロック７のコーム７ａを主コームブロック６のコーム６ａを包囲するように配列することが好ましい。このような構成とすることで、一つのアタッチメント４をベースとしてコームの長さを変えることができるものである。
【０００６】
また、アタッチメント４がコーム６ａを有する主コームブロック６により構成され、主コームブロック６及び補助コームブロック７にそれぞれ吹き出し孔６ｄ、７ｄを設けることが好ましい。このような構成とすることで、主コームブロック６単独で使用した場合、主コームブロック６に補助コームブロック７を取付けて使用した場合というように異なる使用形態において、いずれも吹き出し孔６ｄ又は、互いに連通する吹き出し孔６ｄ、７ｄから風を吹き出しながら毛髪を乾燥したり整髪したりできることになる。
【０００７】
また、アタッチメント４がコーム６ａを有する主コームブロック６により構成され、補助コームブロック７の基台７ｂに吹き出し孔７ｄを設け、この吹き出し孔７ｄに主コームブロック６のコーム６ａが挿通するように着脱自在としたことが好ましい。このような構成とすることで、主コームブロック６単独で使用した場合と、主コームブロック６に補助コームブロック７を取付けて使用した場合とでコームの本数を変更できることになる。
【０００８】
また、アタッチメント４がコーム６ａを有する主コームブロック６により構成され、補助コームブロック７の基台７ｂの面積を主コームブロック６の開口端の面積より大きくすることが好ましい。このような構成とすることで、主コームブロック６に補助コームブロック７を取付けることで、風速を落とすことができて、毛髪のソフトな乾燥ができることになる。
【０００９】
また、アタッチメント４がコーム６ａを有する主コームブロック６により構成され、主コームブロック６の一領域に補助コームブロック７が着脱自在となっていることが好ましい。このような構成とすることで、補助コームブロック７を取付けることによるソフトな乾燥と、毛髪を根元から立ち上げるようなヘアーセットとを兼ね備えたヘアセットに対応することができる。
【００１０】
また、アタッチメント４がコーム６ａを有する主コームブロック６により構成され、補助コームブロック７は複数個あり、主コームブロック６に複数の補助コームブロック７がそれぞれ着脱自在となっていることが好ましい。このように補助コームブロック７が複数個であるため、そのヘアーセットが３パターン以上可能となる。
【００１１】
また、少なくとも１個の補助コームブロック７のコーム７ａ形状を他の補助コームブロック７のコーム７ａ形状と異なるように形成することが好ましい。このような構成とすることで、ヘアーセットのパターンを増やすことができることになる。
【００１２】
【発明の実施の形態】
以下本発明を添付図面に示す実施形態に基づいて説明する。
ヘアードライヤ本体３には筒状の胴部１３に風を発生させるためのファン９、モータ１０から構成された送風部１と、送風部１からの送風を加熱するためのヒータ線１１を有する発熱部２とを内装してあり、また、ヘアードライヤ本体３には各使用モードを切り換えるためのスイッチ回路部１２が設けてある。このヘアードライヤ本体３の筒状の胴部１３の先端部には温風を吐出するための吐出部８が設けてある。
【００１３】
上記のヘアードライヤ本体３の吐出部８にはアタッチメント４が取付けられる。添付図面に示す実施形態においては、アタッチメント４が主コームブロック６の場合の例が示してある。
図３にはアタッチメント４を構成する主コームブロック６の一例が示してある。主コームブロック６は略ラッパ状をした筒状体６ｅの後端部にヘアードライヤ本体３の吐出部８に接続するための接続部６ｆが設けてあり、略ラッパ状をした筒状体６ｅの前端面部に後方に向けて湾曲して凹んだ基台６ｂが設けてあり、この湾曲した基台６ｂに複数のコーム６ａと吹き出し孔６ｄとが設けてある。コーム６ａは筒状に形成してあり、筒状のコーム６ａの後端部が略ラッパ状をした筒状体６ｅに開口しており、また、筒状のコーム６ａには風を通すための孔６ｇが設けてある。このコーム６ａに設けた風を通すための孔６ｇはコーム６ａの前半部の側部に設けているが、コーム６ａの先端部、中央部、下端部に設けてもよいものである。ここで、上記吹き出し孔６ｄと孔６ｇとが風を吹き出す吹き出し部６ｃとなっている。
【００１４】
図４には補助コームブロック７の一例を示している。この補助コームブロック７は後面部が主コームブロック６の湾曲した基台６ｂの前面部と同じ湾曲面となった基台７ｂの前面部に前方に向けて複数のコーム７ａを突設すると共に該基台７ｂに複数の吹き出し孔７ｄが設けてある。コーム７ａは筒状に形成してあり、筒状のコーム７ａの後端部開口が基台６ｂの後面側に開口しており、また、筒状のコーム７ａには風を通すための孔７ｇが設けてある。このコーム７ａに設けた風を通すための孔７ｇは添付図面ではコーム７ａの前半部の側部に設けているが、コーム７ａの先端部、中央部、下端部に設けてもよいものである。ここで、上記吹き出し孔７ｄと孔７ｇとが風を吹き出す吹き出し部７ｃとなっている。
【００１５】
図１乃至図４に示す実施形態においては、補助コームブロック７の基台７ｂに設けた複数のコーム７ａは、主コームブロック６の基台６ｂに設けた複数のコーム６ａと同じ位置関係となるように配列してある。また、複数の孔７ｇは複数の孔６ｇと同じ位置位置関係となるように配列したり、あるいは、複数の孔７ｇは複数の孔６ｇとの位置をずらして一部の孔７ｇと一部の孔６ｇとを連通すると共に別の一部の孔７ｇと別の一部の孔６ｇとを非連通としたり、あるいは、孔７ｇの一部分と孔６ｇの孔の一部分とが連通するようにしたりしてある。このように連通状態を適宜設定することで、主コームブロック６に補助コームブロック７を取付けた場合と、取付けない場合とで、風の吹き出し開口の面積を同じにしたり、あるいは吹き出し面積を変えるようにしたりするものである。また、コーム７ａはコーム６ａよりも突出長さが長く、且つ筒状のコーム７ａの後端部内に筒状のコーム６ａを嵌め込むことができる大きさとなっている。
【００１６】
補助コームブロック７の後端部は主コームブロック６の前端部に着脱自在に取付けられるようになっており、補助コームブロック７の後端部を主コームブロック６の前端部に着脱自在に取付けた状態で、図１に示すように長さの短いコーム６ａが長さの長いコーム７ａ内に嵌まり込むことでコーム６ａがコーム７ａにより包囲された状態となり、また、孔７ｇと孔６ｇとが連通するものである。
【００１７】
図５、図６には補助コームブロック７の後端部を主コームブロック６の前端部に取付ける際のロック構造の一例が示してある。すなわち、主コームブロック６の前端部の外周部に周方向にスライド自在に操作部１４を取付けてあり、この操作部１４には主コームブロック６の内周部側において係止部１７を有する操作レバー１５が設けてある。一方、補助コームブロック６の後端部の外周部には周方向の一部に係止溝部１６が設けてある。そして、補助コームブロック７の後端部を主コームブロック６の前端部に嵌め込み、操作部１４をスライド操作して操作レバー１５をスライドすることで、操作レバー１５に設けた係止部１７を係止溝部１６に係止することで図６（ｃ）のようにロックすることができるものであり、取り外す場合には上記と逆方向に操作部１４をスライド操作して操作レバー１５を図６（ｃ）の矢印方向にスライドすることで、操作レバー１５に設けた係止部１７を係止溝部１６から離脱させてロック解除ができるので、この状態で、補助コームブロック７を主コームブロック６から取り外すことができるのである。上記のようなロック構造によるロック箇所は周方向に１箇所乃至複数箇所設けるものである。
【００１８】
しかして、図１のように主コームブロック６に補助コームブロック７を取付けた状態ではコーム長さの長いヘアードライヤとして使用することができるものであり、また、補助コームブロック７を取り外した状態では、コーム長さの短いヘアードライヤとして使用することができ、それぞれ機能の異なるヘアードライヤとして異なるヘアーセットに対応できるものである。そして、補助コームブロック７を取付けた状態では、コーム７ａの吹き出し孔７ｄ、孔７ｇから風が吹き出して毛髪の乾燥、ヘーアセットが行われるものであり、また、補助コームブロック７を取り外した状態では、コーム７ａの吹き出し孔６ｄ、孔６ｇから風が吹き出して毛髪の乾燥、ヘーアセットが行われるものである。
【００１９】
次に、本発明の他の実施形態を図７、図８に基づいて説明図する。すなわち、上記した実施形態においては、複数のコーム７ａと複数のコーム６ａとが同じ位置関係となるように配列した例を示したが、本実施形態においては、図８（ａ）（ｂ）に示すように、補助コームブロック７の基台７ｂに設けた複数の吹き出し孔７ｄが主コームブロック６の基台６ｂに設けた複数のコーム６ａと同じ位置関係となるように配列してコーム６ａを吹き出し孔７ｄに挿通自在とし、また、補助コームブロック７の基台７ｂに設けた複数のコーム７ａが主コームブロック６の基台６ｂに設けた複数の吹き出し孔６ｄと同じ位置関係となるように配列してコーム７ａの後端開口と吹き出し孔６ｄとを連通自在としてある。その他の構成は前述の実施形態と同様の構成であるので、重複する構成の説明は省略する。
【００２０】
しかして、本実施形態においては、補助コームブロック７を主コームブロック６に取付けた状態では、図８（ｃ）に示すように（なお図７は取付ける直前の状態を示している）、主コームブロック６のコーム６ａが補助コームブロック７ａの吹き出し孔６ｄに挿通されるので、コーム６ａ、コーム７ａが異なる位置で突出することになり、補助コームブロック７を取付けないで主コームブロック６のみで使用した場合に比べてコームの数を増やすことができるものであり、このように補助コームブロック７を取付けてコームの数を増やすと、毛髪がよられやすくなり、毛髪を根元から立ち上げるようなヘーアセットが可能となる。したがって、本実施形態においては補助コームブロック７を取付ける場合と、取り外した場合とでコームの数の異なるヘアードライヤとして異なるヘアーセットに対応できるものである。
【００２１】
次に、本発明の他の実施形態を図９に基づいて説明図する。すなわち、本実施形態においては、補助コームブロック７の基台７ｂの面積を主コームブロック６の略ラッパ状をした筒状体６ｅの前端部の開口端の面積より大きくしてある。つまり、本実施形態においては、補助コームブロック７に後端部が略ラッパ状をした筒状体６ｅの前端部の開口端部に嵌め込むことができる接続部となった略ラッパ状をした筒状体７ｅを設け、略ラッパ状をした筒状体７ｅの先端部が後端部の接続部よりも大径となっており、この大径となった略ラッパ状をした筒状体７ｅの先端部に基台７ｂを設けることで、基台７ｂの面積を主コームブロック６の前端部の開口端の面積より大きくしてある。これにより、図９に示すように補助コームブロック７を主コームブロック６に取付けた場合には主コームブロック６のみの場合に比べて風の吹き出し面積をより広くすることができて、風速を落としてよりソフトな風を供給し、これにより毛髪のソフトな乾燥、ソフトなヘアーセットができるものである。本実施形態において上記以外の構成は図１に示す実施形態と同様であるので、重複する説明は省略する。
【００２２】
次に、本発明の更に他の実施形態を図１０乃至図１２図に基づいて説明図する。すなわち、本実施形態においては、主コームブロック６の一領域に補助コームブロック７が着脱自在となっている。図１０に示す実施形態においては主コームブロック６の半分の領域に補助コームブロック７が着脱自在となっている例を示しているが、必ずしも半分の領域にのみ限定されるものではない。例えば、図１１に示すように主コームブロック６の中央部の領域に補助コームブロック７を着脱自在に取付けたり、あるいは図１２に示すように、主コームブロック６の外周部の領域に補助コームブロック７を着脱自在に取付けたりというようにいろいろな位置に着脱自在に取付けることができる。これにより、ソフトな乾燥と毛髪を根元から立ち上げるようなヘアーセットとを兼ね備えたヘアセット等の種々の異なるヘアーセットに対応することができるものである。本実施形態において上記以外の構成は図１に示す実施形態と同様であるので、重複する説明は省略する。
【００２３】
次に、本発明の更に他の実施形態を図１３、図１４に基づいて説明図する。すなわち、本実施形態においては、補助コームブロック７が複数個あり、それぞれの補助コームブロック７が主コームブロック６に着脱自在となっている例である。すなわち、主コームブロック６に複数個（図１３、図１４では２個の例を示しているが３個以上であってもよい）の補助コームブロック７をそれぞれ単独で独立して着脱自在としたものである。これにより、主コームブロック６に複数の補助コームブロック７のうち１つのみを取付ける場合（例えば図９と同じ）、あるいは図１３に示すように複数の補助コームブロック７を取付ける場合、あるいは、補助コームブロック７を取付けない場合というように異なる使用形態（少なくとも３種類以上の異なる使用形態）が選べるものであって、利用範囲が大幅に増えてヘアーセットのパターンを増やすことができるものである。
【００２４】
また、図１４に示すように、複数の補助コームブロック７のうち少なく１個の補助コームブロック７のコーム７ａ形状を他の補助コームブロック７のコーム７ａ形状と異なるように形成してもよいものである。このものにおいては、よりいっそうヘアーセットのパターンを増やすことができるものである。
なお、上記した各実施形態においては、ヘアードライヤ本体３の吐出部８に取付けられるアタッチメント４としてコーム６ａを有する第１のコーム６の例を示してたが、アタッチメント４としてコーム以外のものであってもよいのは勿論である。
【００２５】
【発明の効果】
本発明の請求項１記載の発明にあっては、上述のように、送風部と発熱部とを有するヘアードライヤ本体と、ヘアードライヤ本体の吐出部に取付けられるアタッチメントから構成されるヘアードライヤであって、上記アタッチメントにコームを設け、アタッチメントに、コームと基台と吹き出し部とからなる補助コームブロックを着脱自在に取付け、補助コームブロックに設けたコームの突出長さをアタッチメントに設けたコームの突出長さよりも長くしてあるので、一つのアタッチメントをベースとして、アタッチメントに補助コームブロックを取付けた状態で使用する場合と、補助コームブロックを取付けないで使用する場合との２つの異なる用途に対応することができることができて、異なる形態のヘーアセットに対応できるものであり、特に、アタッチメントに補助コームブロックを取付けた状態ではコーム長さの長いヘアードライヤとして使用することができるものであり、また、補助コームブロックを取り外した状態では、コーム長さの短いヘアードライヤとして使用することができ、それぞれ機能の異なるヘアードライヤとして異なるヘアーセットに対応できるものである。また、収納に当たっても、補助コームブロックをアタッチメントに取付けることで、一つにまとめた状態で収納できるものであって、この点でも便利である。
【００２６】
また、請求項２記載の発明にあっては、上記請求項１記載の発明の効果に加えて、アタッチメントがコームを有する主コームブロックにより構成され、補助コームブロックのコームを筒状に形成すると共に、この補助コームブロックのコームを主コームブロックのコームを包囲するように配列してあるので、補助コームブロックを主コームブロックに取付けない場合と、補助コームブロックを主コームブロックに取付けた場合とでコームの長さ（高さ）の異なる形態のものとすることができるものである。
【００２７】
また、請求項３記載の発明にあっては、上記請求項１記載の発明の効果に加えて、アタッチメントがコームを有する主コームブロックにより構成され、主コームブロック及び補助コームブロックに吹き出し孔を設けてあるので、吹き出し孔同士を互いに連通するように対応する位置に設けると、補助コームブロックを主コームブロックに取付けない場合と、補助コームブロックを主コームブロックに取付けた場合とで風速を変えることなくコームの長さ（高さ）の異なる形態のものとすることができるものである。
【００２８】
また、請求項４記載の発明にあっては、上記請求項１記載の発明の効果に加えて、アタッチメントがコームを有する主コームブロックにより構成され、補助コームブロックの基台に吹き出し孔を設け、この吹き出し孔に主コームブロックのコームが挿通するように着脱自在としたので、補助コームブロックを主コームブロックに取付けない場合と、補助コームブロックを主コームブロックに取付けた場合とでコームの本数を変更できて、コームの数を変更してのヘアーアレンジに対して便利である。
【００２９】
また、請求項５記載の発明にあっては、上記請求項１記載の発明の効果に加えて、アタッチメントがコームを有する主コームブロックにより構成され、補助コームブロックの基台の面積を主コームブロックの開口端の面積より大きくしてあるので、補助コームブロックを主コームブロックに取付けることで、風速を落とすことができて、ソフトな乾燥のパタンーを増やせるものである。
【００３０】
また、請求項６記載の発明にあっては、上記請求項１記載の発明の効果に加えて、アタッチメントがコームを有する主コームブロックにより構成され、主コームブロックの一領域に補助コームブロックが着脱自在となっているので、補助コームブロックを主コームブロックに取付けることで、ソフトな乾燥と、毛髪を根元から立ち上げるようなヘアーセットとができる等、種々の異なるヘアーセットに使用できるものである。
【００３１】
また、請求項７記載の発明にあっては、上記請求項１記載の発明の効果に加えて、アタッチメントがコームを有する主コームブロックにより構成され、補助コームブロックは複数個あり、それぞれの主コームブロックに複数の補助コームブロックが着脱自在となっているので、３パターン以上のヘアーセットに対応できるものである。
【００３２】
また、請求項８記載の発明にあっては、上記請求項１記載の発明の効果に加えて、少なくとも１個の補助コームブロックのコーム形状を他の補助コームブロックのコーム形状と異なるように形成してあるので、更にヘアーセットのパターンを増やすことができるものである。
【図面の簡単な説明】
【図１】本発明のヘアードライヤの全体を示す側面断面図である。
【図２】同上の正面図である。
【図３】同上の主コームブロックを示し、（ａ）は正面図であり、（ｂ）は断面図である。
【図４】同上の補助コームブロックを示し、（ａ）は正面図であり、（ｂ）は断面図である。
【図５】同上のロック機構を示す側面断面図である。
【図６】同上のロック機構を示し、（ａ）は拡大側面断面図であり、（ｂ）は拡大正面断面図であり、（ｃ）は拡大平面断面図である。
【図７】本発明の他の実施形態の主コームブロックと補助コームブロックとを示す分解断面図である。
【図８】（ａ）は同上の補助コームブロックの正面図を示し、（ｂ）は主コームブロックの正面図を示し、（ｃ）は主コームブロックに補助コームブロックを取付けた状態の正面図である。
【図９】本発明の更に他の実施形態の主コームブロックに補助コームブロックを取付けた状態の断面図である。
【図１０】本発明の更に他の実施形態の主コームブロックに補助コームブロックを取付けた状態の断面図である。
【図１１】同上の主コームブロックに補助コームブロックを取付けた他の例の断面図である。
【図１２】同上の主コームブロックに補助コームブロックを取付けた更に他の例の断面図である。
【図１３】本発明の更に他の実施形態の主コームブロックに補助コームブロックを取付けた状態の断面図である。
【図１４】同上の主コームブロックに補助コームブロックを取付けた他の例の断面図である。
【符号の説明】
１  送風部
２  発熱部
３  ヘアードライヤ本体
４  アタッチメント
５  ヘアードライヤ
６  主コームブロック
６ａ  コーム
６ｄ  吹き出し孔
７  補助コームブロック
７ａ  コーム
７ｂ  基台
７ｃ  吹き出し部
７ｄ  吹き出し孔
８  吐出部
【図１】
0003855435.tif 000002
【図２】
0003855435.tif 000003
【図３】
0003855435.tif 000004
【図４】
0003855435.tif 000005
【図５】
0003855435.tif 000006
【図６】
0003855435.tif 000007
【図７】
0003855435.tif 000008
【図８】
0003855435.tif 000009
【図９】
0003855435.tif 000010
【図１０】
0003855435.tif 000011
【図１１】
0003855435.tif 000012
【図１２】
0003855435.tif 000013
【図１３】
0003855435.tif 000014
【図１４】
0003855435.tif 000015